(57)【要約】【課題】プラズマディスプレイパネル装置を提供する。【解決手段】パネルと、パネルの前方表面のエッジに沿って形成された導電層と、パネルの前方表面に形成された導電層に接触される電磁波吸収層を備えてパネルの前方表面に付着されたフィルムフィルターと、を備えるプラズマディスプレイパネル装置である。【選択図】図３
2006079066.tif 000002
【特許請求の範囲】
【請求項１】
パネルと、
前記パネルの前方表面のエッジに沿って形成された導電層と、
前記パネルの前方表面に形成された導電層に接触される電磁波吸収層を備えて前記パネルの前方表面に付着されたフィルムフィルターと、を備えるプラズマディスプレイパネル装置。
【請求項２】
前記導電層は、銀、金、銅、アルミニウム、白金、ニッケル、鉛、コバルト、ロジウム、ルテニウム、錫、イリジウム、パラジウム及び、チタンを含むグループから選択された何れか１つから形成されることを特徴とする請求項１に記載のプラズマディスプレイパネル装置。
【請求項３】
前記導電層は、ペーストの印刷、塗布、スパッタリング、または蒸着によって形成されたことを特徴とする請求項１に記載のプラズマディスプレイパネル装置。
【請求項４】
前記パネルの背面に配されて、前記パネルを固定支持させ、前記導電層と電気的に連結されるシャシーをさらに備えることを特徴とする請求項１に記載のプラズマディスプレイパネル装置。
【請求項５】
前記パネル、前記フィルムフィルター及び、前記シャシーを内側に収容する空間を限定する前方カバー及び、後方カバーをさらに備えることを特徴とする請求項４に記載のプラズマディスプレイパネル装置。
【請求項６】
パネルと、
前記パネルの前方表面に付着されて電磁波吸収層を備えたフィルムフィルターと、
前記電磁波吸収層と接触された状態で、前記フィルムフィルターの第１面及び第２面のエッジに沿って延びた導電性テープと、を備えるプラズマディスプレイパネル装置。
【請求項７】
前記パネルの背面に配されて、前記パネルを固定支持させ、前記導電性テープと電気的に連結されるシャシーをさらに備えることを特徴とする請求項６に記載のプラズマディスプレイパネル装置。
【請求項８】
前記パネル、前記フィルムフィルター及び、前記シャシーを内側に収容する空間を限定する前方カバー及び、後方カバーをさらに備えることを特徴とする請求項７に記載のプラズマディスプレイパネル装置。
【請求項９】
パネルと、
前記パネルの背面に配されて、前記パネルを固定支持させるシャシーと、
前記パネルの前方表面に付着され、エッジが前記パネルの側面と前記シャシーの側面とを取り囲みつつ延び、前記シャシーに接触する電磁波吸収層を備えたフィルムフィルターと、を備えるプラズマディスプレイパネル装置。
【請求項１０】
前記シャシーのコーナーに対応する形状を有し、前記フィルムフィルターに備えられた電磁波吸収層を前記シャシーに密着させるように前記シャシーに固定される固定部材をさらに備えることを特徴とする請求項９に記載のプラズマディスプレイパネル装置。
【請求項１１】
前記パネル、前記フィルムフィルター及び、前記シャシーを内側に収容する空間を限定する前方カバー及び、後方カバーをさらに備えることを特徴とする請求項９に記載のプラズマディスプレイパネル装置。
【請求項１２】
パネルと、
前記パネルが収容されるパネル収容部と、前記パネルが前記パネル収容部内に収容されたとき、前記パネルの表面と同じ平面上に配される前方表面及び、前記パネルから延びたフレキシブルプリンテッドケーブルが背面に通過されるケーブル通過溝が形成されたシャシーと、
前記パネルの前方表面と前記シャシーの前方表面に付着され、電磁波吸収層が前記シャシーに接触されるフィルムフィルターと、を備えるプラズマディスプレイパネル装置。
【請求項１３】
前記シャシーの前方コーナーに対応する形状を有し、前記フィルムフィルターと前記シャシーに接触された状態で前記シャシーに固定される導電フレームをさらに備えることを特徴とする請求項１２に記載のプラズマディスプレイパネル装置。
【請求項１４】
前記パネル、前記フィルムフィルター、前記シャシー及び、前記導電フレームを内側に収容する空間を限定する前方カバー及び、後方カバーをさらに備えることを特徴とする請求項１３に記載のプラズマディスプレイパネル装置。
【発明の詳細な説明】
【技術分野】
【０００１】
本発明は、プラズマディスプレイパネル（ＰＤＰ）装置に係り、より詳細には、フィルムフィルターを備えたＰＤＰ装置に関する。
【背景技術】
【０００２】
通常的にＰＤＰ装置では、パネルの前方にフィルターを配置する。フィルターは、ディスプレイの品位／品質等を向上させる作用をするが、例えば、人体に有害な電磁波を遮断し、リモコンの誤動作を引き起こす近赤外線を遮断し、ネオン発光を遮断し、外光がパネルの前方表面で反射される現象を防止する。このような多様な特性のうち、特に電磁波の遮断が重要である。
【０００３】
図１は、通常のＰＤＰ装置を概略的に示す分解斜視図である。
【０００４】
図面を参照すれば、ＰＤＰ装置は、前面ガラス基板と背面ガラス基板との結合体よりなるパネル１１と、前記パネル１１を固定させて保持するシャシー１２と、前記シャシー１２の背面に設けられた電子回路基板１３を備える。パネル１１の前方には、ガラスフィルター１５が設けられ、前記パネル１１、シャシー１２及び、ガラスフィルター１５の組立体は、前方カバー１６と後方カバー１４によって限定される空間内に設けられる。
【０００５】
図１に示されたた通常のガラスフィルター１５は、ガラス基板の表面にコーティングにより形成された多層膜を備え、外部衝撃によるディスプレイ装置の破損を防止するために強化処理されたガラスで製作される。ガラスフィルター１５は、パネル１１の表面と約５ないし１０ｍｍの間隔をおいて配される。
【０００６】
ＰＤＰ装置は、その他のディスプレイ装置より薄く軽いということが長所であるために、ガラスフィルター１５を採用することによって、顕著に増加するプラズマディスプレイ装置の重さは、その長所を打ち消してしまう。例えば、ディスプレイ装置でガラスフィルター１５が占める重さは全体重さに対してほぼ１０％に達する。またガラスフィルター１５自体の重さだけでなく、ガラスフィルター１５とパネル１１との間にも間隔が存在するので、装置の全体的な厚さが増加するという問題点もある。
【発明の開示】
【発明が解決しようとする課題】
【０００７】
本発明は、前記問題点を解決するために案出されたものであって、本発明の目的は、フィルムフィルターを備えたＰＤＰ装置を提供することである。
【０００８】
本発明の他の目的は、フィルムフィルターとＰＤＰとの結合構造が改善されたＰＤＰ装置を提供することである。
【課題を解決するための手段】
【０００９】
前記目的を達成するために本発明によれば、パネルと、前記パネルの前方表面のエッジに沿って形成された導電層と、前記パネルの前方表面に形成された導電層に接触される電磁波吸収層を備えて前記パネルの前方表面に付着されたフィルムフィルターと、を備えるＰＤＰ装置が提供される。
【００１０】
本発明の一特徴によれば、前記導電層は、銀、金、銅、アルミニウム、白金、ニッケル、鉛、コバルト、ロジウム、ルテニウム、錫、イリジウム、パラジウム及び、チタンを含むグループから選択された何れか１つより形成される。
【００１１】
本発明の他の特徴によれば、前記導電層は、ペーストの印刷、塗布、スパッタリング、または蒸着によって形成される。
【００１２】
本発明の他の特徴によれば、前記パネルの背面に配されて前記パネルを固定支持させて前記導電層と電気的に連結されるシャシーをさらに備える。
【００１３】
本発明のさらに他の特徴によれば、前記パネル、前記フィルムフィルター及び、前記シャシーを内側に収容する空間を限定する前方カバー及び、後方カバーをさらに備える。
【００１４】
また本発明によれば、パネルと、前記パネルの前方表面に付着されて電磁波吸収層を備えたフィルムフィルターと、前記電磁波吸収層と接触された状態で前記フィルムフィルターの第１面と第２面のエッジに沿って延びた導電性テープと、を備えるＰＤＰ装置が提供される。
【００１５】
本発明の他の特徴によれば、前記パネルの背面に配されて前記パネルを固定支持させ、前記導電性テープと電気的に連結されるシャシーをさらに備える。
【００１６】
また本発明によれば、パネルと、前記パネルの背面に配されて前記パネルを固定支持させるシャシーと、前記パネルの前方表面に付着され、エッジが前記パネルの側面と前記シャシーの側面とを取り囲みつつ延び、前記シャシーに接触する電磁波吸収層を備えたフィルムフィルターと、を備えるＰＤＰ装置が提供される。
【００１７】
本発明の他の特徴によれば、前記シャシーのコーナーに対応する形状を有し、前記フィルムフィルターに備えられた電磁波吸収層を前記シャシーに密着させるように前記シャシーに固定される固定部材をさらに備える。
【００１８】
また本発明によれば、パネルと、前記パネルが収容されるパネル収容部と、前記パネルが前記パネル収容部内に収容されたとき前記パネルの表面と同じ平面上に配される前方表面及び、前記パネルから延びたフレキシブルプリンテッドケーブルが背面に通過されるケーブル通過溝が形成されたシャシーと、前記パネルの前方表面と前記シャシーの前方表面に付着され、電磁波吸収層が前記シャシーに接触されるフィルムフィルターと、を備えるＰＤＰ装置が提供される。
【００１９】
本発明の他の特徴によれば、前記シャシーの前方コーナーに対応する形状を有し、前記フィルムフィルターと前記シャシーに接触された状態で前記シャシーに固定される導電フレームをさらに備える。
【発明の効果】
【００２０】
本発明に係るプラズマディスプレイ装置によれば、フィルムフィルターを備えることによって、装置全体の重さ及び、厚さを減少させると同時に、フィルムフィルターにより吸収された電磁波を容易に接地させうる構造が提供されうる。
【発明を実施するための最良の形態】
【００２１】
以下、本発明を、添付された図面に示された一実施例に基づいてさらに詳細に説明する。
【００２２】
図２は、本発明に係るＰＤＰ装置に適用されるフィルムフィルターの概略的な構成を示す斜視図である。
【００２３】
図面を参照すれば、フィルムフィルター２０は、ポリエチレンテレフタレート（ＰＥＴ）材料などで製造されたフィルムの表面に所望する機能を有する色素をコーティングするか、または金属材料をエッチングやスパッタリングを通じて所定形態にコーティングしたものである。また、フィルムフィルター２０は、相互接着された多層のフィルム構造を有することができ、各層のフィルム表面に色素または金属材料がコーティングされたものである。
【００２４】
図面に示されたた例では、第１層２１、第２層２２及び、第３層２３のフィルムが相互接着されてフィルムフィルター２０を構成し、第２層２２の一表面に電磁波吸収層２２ａが形成されたものである。電磁波吸収層２２ａは、例えば、金属材料のメッシュのようなものであって、導電性に優れたＡｇまたはＣｕ材料をメッシュ状にスパッタリングするか、またはエッチングしたものである。金属メッシュの形であり得る電磁波吸収層２２ａは、ＰＤＰから発生する電磁波を吸収するために形成されたものであって、電磁波吸収層２２ａにより吸収された電磁波は接地されねばならない。他の例では、電磁波吸収層２２ａが、メッシュ状ではない薄膜状などを有することがあるが、いかなる場合でも吸収された電磁波を接地させねばならない。
【００２５】
図３は、本発明に係るＰＤＰ装置の第１実施例を示す概略的な分解斜視図である。
【００２６】
図面を参照すれば、ＰＤＰ装置は、パネル３１と、前記パネル３１を固定支持するシャシー３２と、前記シャシー３２の背面に配された印刷回路基板３３と、前記パネル３１、シャシー３２及び、印刷回路基板３３の組立体を内側に収容する空間を限定する前方カバー３６と後方カバー３４とを備える。
【００２７】
本発明の一特徴によれば、フィルムフィルター３５はパネル３１の表面に直接的に接着され、パネル３１の表面には導電層３７が形成され、フィルムフィルター３５に備えられた電磁波吸収層２２ａ（図２）は、パネル３１の表面に形成された導電層３７と直接的に接触されることによって接地される。パネル３１の表面に形成された導電層３７は、例えば、金、銅、アルミニウム、白金、ニッケル、鉛、コバルト、ロジウム、ルテニウム、錫、イリジウム、パラジウムまたはチタンなどで形成されうる。望ましくは、シルバペーストまたは銅テープなどを用いて、パネル３１でイメージ（画像）が表示される活性領域を除いてエッジに沿って延長させる。他の例で、導電層３７は導電性材料を印刷、スパッタリング、蒸着などの方法によって形成したものであり得る。
【００２８】
一方、フィルムフィルター３５は、電磁波吸収層２２ａがパネル３１表面の導電層３７と電気的に接触されねばならない。図２に示されたように、フィルムフィルター２０が多層フィルム構造からなっている場合に、電磁波吸収層２２ａが形成された第２層２２に付着された第１層２１のエッジを除去することによって、電磁波吸収層２２ａが露出されるものである。露出された電磁波吸収層２２ａが、図３に示されたたパネル３１の表面の導電層３７と接触するようにフィルムフィルター２０（換言すればフィルムフィルター２０と同じ構造のフィルムフィルター３５）を付着させることによって、フィルムフィルター３５により吸収された電磁波が導電層３７に対して接地されうる。導電層３７は、他の電気的な経路を通じてシャシー３２などにも連結されうる。
【００２９】
図４は、本発明に係るＰＤＰ装置の第２実施例についての概略的な分解斜視図である。
【００３０】
図面を参照すれば、ＰＤＰ装置は、パネル４１と、前記パネル４１を固定支持するシャシー４２と、前記シャシー４２の背面に配された印刷回路基板４３と、前記パネル４１、シャシー４２及び、印刷回路基板４３の組立体を内側に収容する空間を限定する前方カバー４６と後方カバー４４とを備える。
【００３１】
本発明の他の特徴によれば、前記パネル４１の前方表面に配されたフィルムフィルター４５をさらに備え、前記フィルムフィルター４５のエッジは、導電性テープ４９で取り囲まれる。導電性テープ４９は、図面に示されたようにフィルムフィルター４５のエッジに該当する部位でフィルムフィルター４５の前面及び、背面、すなわち、互いに反対である第１面と第２面とを包むように延びる。このようにフィルムフィルター４５の前面と背面とを包むように延長させることは、フィルムフィルター４５に備えられた電磁波吸収層２２ａ（図２）を、導電性テープ４９を通じてフィルムフィルター４５の前面と背面とに延長させるためのものである。すなわち、フィルムフィルター４５で電磁波吸収層２２ａは、パネル４１の前方表面に面するように露出されるか、またはその反対方向に露出されるので、導電性テープ４９を通じて露出されていない表面にも延長可能にしたものである。導電性テープ４９は、シャシー４２と電気的に連結されることによって接地されうる。例えば、導電性テープ４９をシャシー４２に至るまで延長させることによって、接地効果を得ることもできる。なお、符号４５ａはフィルムフィルター４５のエッジ付近であり、符号４９ａは導電性テープ４９の断面を示す。
【００３２】
図５は、本発明に係るＰＤＰ装置の第３実施例について概略的に示す分解斜視図である。
【００３３】
図面を参照すれば、ＰＤＰ装置は、パネル５１と、前記パネル５１を固定支持するシャシー５２と、前記シャシー５２の背面に配された印刷回路基板５３と、前記パネル５１、シャシー５２及び、印刷回路基板５３の組立体を内側に収容する空間を限定する前方カバー５６と後方カバー５４とを備える。
【００３４】
本発明の他の特徴によれば、パネル５１の前方表面に配されるフィルムフィルター５５はそのエッジがシャシー５２に到達できるほどに延びる。フィルムフィルター５５は、パネル５１のエッジを通ってシャシー５２に到達するように延び、フィルムフィルター５５に備えられた電磁波吸収層２２ａ（図２）は、シャシー５２の表面に直接的に接触されうる。固定部材５７は、フィルムフィルター５５のエッジで露出された電磁波吸収層２２ａがシャシーと接触された状態を維持させるためのものである。固定部材５７は、シャシー５２のコーナーに対応する形状を有するものであって、フィルムフィルター５５のエッジをシャシー５２の表面に加圧させつつ、シャシー５２に固定されるものである。
【００３５】
図５に示された例では、フィルムフィルター５５を直接にシャシー５２に延長させて接触させる方式であるために、パネル５１の前方表面だけでなく側面から発生する電磁波も遮断されうるという長所がある。
【００３６】
図６は、本発明に係るＰＤＰ装置の第４実施例を示す概略的な分解斜視図である。
【００３７】
図面を参照すれば、ＰＤＰ装置は、パネル６１と、前記パネル６１をその内部に収容できる収容部６２ａが形成されているシャシー６２と、前記シャシー６２の背面に配された印刷回路基板６３と、前記パネル６１、シャシー６２及び、印刷回路基板６３の組立体を内側に収容する空間を限定する前方カバー（図示せず）及び後方カバー（図示せず）を備える。一方、シャシー６２に形成されたパネル収容部６２ａの内側にはケーブル通過溝６２ｂが形成されるが、ケーブル通過溝６２ｂはシャシー６２の背面にまで延びる。ケーブル通過溝６２ｂは、パネル６１に形成された電極から延びたフレキシブルプリンテッドケーブル６１ａが通過される溝であって、フレキシブルプリンテッドケーブル６１ａの端子は印刷回路基板６３の接続部に接続される。
【００３８】
図６に示された具現例から分かるように、パネル６１がシャシー６２のパネル収容部６２ａ内に収容された時、パネル６１の表面とシャシー６２の前方表面６２ｃは同じ高さとなる。したがって、フィルムフィルター６５がパネルの前方に接着されたとき、フィルムフィルター６５のエッジはシャシー６２の前方表面６２ｃに接触されうる。フィルムフィルター６５に備えられた電磁波吸収層２２ａ（図２）は、シャシー６２の前方表面６２ｃに接触されることによって、吸収された電磁波を接地させうる。
【００３９】
図７は、本発明に係るＰＤＰ装置の第５実施例を示す概略的な分解斜視図である。
【００４０】
図面を参照すれば、図７に示された実施例は、図６に示された実施例と同一概念である。すなわち、ＰＤＰ装置は、パネル７１と、前記パネル７１をその内部に収容できる収容部７２ａが形成されているシャシー７２と、前記シャシー７２の背面に配された印刷回路基板７３を備える。前記パネル７１、シャシー７２及び、印刷回路基板７３は背面カバー７４と、前方カバー（図示せず）により限定された空間に収容される。パネル７１がシャシー７２に形成された収容部７２ａ内に収容された時、パネル７１の表面は、シャシー７２の前方表面７２ｂと同じ高さの表面となる。したがって、フィルムフィルター７５は、パネル７１の表面とシャシー７２の前方表面７２ｂとに同時に接着されうる。
【００４１】
本発明の他の特徴によれば、導電フレーム７６がさらに備えられる。導電フレーム７６は、図に示されたようにシャシー７２のコーナーに対応する収容部７６ａが形成された部材であって、導電性材料よりなる。導電フレーム７６は、図３ないし図５に示されたた前方カバー３６、４６、５６の内側に配されるか、前方カバー（図示せず）が導電性材料より構成されることもある。導電フレーム７６は、フィルムフィルター７５のエッジとシャシー７２のエッジに同時に接触して、それを共に取り囲む状態で設けられるので、フィルムフィルター７５とシャシー７２とを通じて導電される電磁波の接地を補助する役割を行う。すなわち、フィルムフィルター７５の電磁波吸収層２２ａ（図２）が接触されたシャシー７２の部位を導電フレーム７６が取り囲むように導電フレーム７６を配置することによって、電磁波の接地を補助可能にする。
【００４２】
図７に示されたような導電フレーム７６は、他の実施例についても適用されうる。例えば、図３ないし図５に示されたた実施例でも前方カバー３６、４６、５６の内側にパネルのコーナーに対応する導電フレームを設置し、導電フレームをフィルムフィルター３５、４５、５５の電磁波吸収層２２ａと電気的に連結させることによって、同じ効果が得られる。また、背面カバーも導電性材料で形成して、フィルムフィルターの電磁波吸収層と電気的に連結させることによって電磁波接地効果が得られる。
【００４３】
図３ないし図５を参照して説明したような本発明に係るＰＤＰ装置の第１ないし第３実施例は、フィルターが備えられていないプラズマディスプレイ装置と比較して高い電磁波遮断効果を発揮した。次の表は、そのような比較実験結果を例示的に示すものである。
【表１】
2006079066.tif 000003
【００４４】
前記表１に記載された数値は、測定された電磁波発生値の最大値であり、括弧の中に記載された値をその値の周波数として表示する。
【００４５】
前記表１から分かるように、本願発明に係るＰＤＰ装置の第１ないし第３実施例はフィルターのない装置に比べて電磁波が顕著に減少する。
【００４６】
本発明は、添付した図面に示された一実施例を参考に説明されたが、これは例示的なものに過ぎず、当業者ならばこれより多様な変形及び均等な他の実施例が可能であるという点を理解できるであろう。したがって、本発明の真の保護範囲は特許請求の範囲によってのみ決まるべきである。
【産業上の利用可能性】
【００４７】
本発明は、プラズマディスプレイパネル装置に関連した技術分野に好適に適用しうる。
【図面の簡単な説明】
【００４８】
【図１】通常のＰＤＰ装置の概略的な分解斜視図である。
【図２】本発明に係るＰＤＰ装置に適用できるフィルムフィルターの概略的な構成を図示する斜視図である。
【図３】本発明に係るＰＤＰ装置の第１実施例を示す概略的な分解斜視図である。
【図４】本発明に係るＰＤＰ装置の第２実施例を示す概略的な分解斜視図である。
【図５】本発明に係るＰＤＰ装置の第３実施例を示す概略的な分解斜視図である。
【図６】本発明に係るＰＤＰ装置の第４実施例を示す概略的な分解斜視図である。
【図７】本発明に係るＰＤＰ装置の第５実施例を示す概略的な分解斜視図である。
【符号の説明】
【００４９】
３１      パネル
３２      シャシー
３３      印刷回路基板
３４      後方カバー
３６      前方カバー
３７      導電層
【図１】
2006079066.tif 000004
【図２】
2006079066.tif 000005
【図３】
2006079066.tif 000006
【図４】
2006079066.tif 000007
【図５】
2006079066.tif 000008
【図６】
2006079066.tif 000009
【図７】
2006079066.tif 000010